(57)【要約】  通信装置の規模やコストが増加してしまうという問題を解決することが可能な伝送装置を提供する。  光監視部３３１Ａおよび３３１Ｂは、波長が異なる複数の光波長信号が合波された波長多重信号を伝送する複数の経路のそれぞれに対応して設けられ、その対応する経路を伝送してきた波長多重信号またはその波長多重信号に含まれる光波長信号の光レベルを検知する。切替部３３２は、複数の経路のいずれかを選択し、その選択した経路を伝送してきた波長多重信号またはその波長多重信号に含まれる光波長信号を光信号として出力する。信号処理部３３３は、光監視部３３１Ａおよび３３１Ｂにて検知された光レベルと、切替部３３２から出力された光信号に基づいて、各経路で発生した障害を検知し、当該検知結果に応じて、切替部３３２にて選択される経路を切り換える。
2015008512.tif 000002
【特許請求の範囲】
【請求項１】
波長が異なる複数の光波長信号が合波された波長多重信号を伝送する複数の経路のそれぞれに対応して複数設けられ、当該対応する経路を伝送してきた波長多重信号または当該波長多重信号に含まれる光波長信号の光レベルを検知する光監視部と、
前記複数の経路のいずれかを選択し、当該選択した経路を伝送してきた波長多重信号または当該波長多重信号に含まれる光波長信号を光信号として出力する切替部と、
前記光監視部にて検知された光レベルと、前記切替部から出力された光信号に基づいて、各経路で発生した障害を検知し、当該検知結果に応じて、前記切替部にて選択される経路を切り換える信号処理部と、を有する伝送装置。
【請求項２】
前記信号処理部は、前記光信号を解析して、当該光信号にビットエラーおよびフレームエラーの少なくとも一方があると、前記切替部にて選択された経路の障害を検知する、請求項１に記載の伝送装置。
【請求項３】
前記波長多重信号には、当該波長多重信号に含まれる複数の光波長信号の波長のそれぞれを示す光監視信号が合波され、
前記複数の経路のそれぞれに対応して複数設けられ、当該対応する経路を伝送してきた波長多重信号から前記光監視信号を取得する取得部をさらに有し、
前記信号処理部は、前記取得部が取得した光監視信号にさらに基づいて、前記障害を検知する、請求項１または２に記載の伝送装置。
【請求項４】
前記信号処理部は、前記光監視信号が示す波長が存在しなくなった場合、当該光監視信号を含む波長多重信号を伝送してきた経路の障害を検知する、請求項３に記載の伝送装置。
【請求項５】
前記切替部にて選択された経路を伝送してきた波長多重信号には、当該経路で生じた障害を示す信号が前記光波長信号として含まれ、
前記切替部にて選択された経路以外に経路を伝送してきた波長多重信号には、当該経路で生じた障害をさらに示す前記光監視信号が合波されている、請求項３または４に記載の伝送装置。
【請求項６】
波長が異なる複数の光波長信号が合波された波長多重信号を伝送する複数の経路のそれぞれに対応して複数設けられ、当該対応する経路を伝送してきた波長多重信号または当該波長多重信号に含まれる光波長信号の光レベルを検知する光監視部と、
前記複数の経路のいずれかを選択し、当該選択した経路を伝送してきた波長多重信号または当該波長多重信号に含まれる光波長信号を光信号として出力する切替部と、
前記光監視部による前記光レベルの監視結果と、前記切替部から出力された光信号に基づいて、各経路で発生した障害を検知し、当該検知結果に応じて、前記切替部にて選択される経路を切り換える信号処理部と、を有する伝送装置と、
前記複数の経路のそれぞれに所属する複数の中継用伝送装置と、を有する伝送システム。
【請求項７】
各中継用伝送装置は、
前記波長多重信号に含まれる複数の光波長信号の波長のそれぞれを検知する波長監視部と、
前記波長監視部にて検知された波長のそれぞれを示す光監視信号を前記波長多重信号に合波して出力する光監視制御部と、を有し、
前記伝送装置は、
前記複数の経路のそれぞれに対応して複数設けられ、当該対応する経路を伝送してきた波長多重信号から前記光監視信号を取得する取得部をさらに有し、
前記信号処理部は、前記取得部が取得した光監視信号にさらに基づいて、前記障害を検知する、請求項６に記載の伝送システム。
【請求項８】
各中継用伝送装置は、
前記波長多重信号を前記波長多重信号に含まれる光波長信号のそれぞれに分波して出力する分離部と、
前記分離部から出力された各光波長信号に対して再生中継処理と、各光波長信号に基づいて当該中継用伝送装置が所属する経路で生じた障害を検知する検知処理とを行い、前記再生中継処理を行った光波長信号を出力する再生中継部と、
各再生中継部にて再生中継処理が行われた光波長信号を合波して出力する多重部と、を有し、
前記切替部にて選択されている経路に所属する中継用伝送装置の再生中継部は、前記障害を検知した場合、当該障害を示す警報信号を前記光波長信号として出力し、
前記光監視制御部は、前記切替部にて選択されている経路以外に所属する中継用伝送装置の再生中継部が前記障害を検知した場合、当該障害をさらに示す光監視信号を前記波長多重信号に合波して出力する、請求項７に記載の伝送システム。
【請求項９】
複数の経路のそれぞれを伝送する、波長が異なる複数の光波長信号が合波された波長多重信号または当該波長多重信号に含まれる光波長信号の光レベルを検知し、
前記複数の経路のいずれかを選択し、当該選択した経路を伝送してきた波長多重信号または当該波長多重信号に含まれる光波長信号を光信号として出力し、
前記検知された光レベルと、前記出力された光信号に基づいて、各経路で発生した障害を検知し、当該検知結果に応じて、前記選択される経路を切り換える、経路切替方法。
【発明の詳細な説明】
【技術分野】
【０００１】
本発明は、光信号の伝送を行う伝送装置に関し、特には、障害を回避するために経路を切り替えることが可能なライン冗長方式に対応した波長多重伝送装置に関する。
【背景技術】
【０００２】
光通信の分野において、ＷＤＭ（Wavelength Division Multiplexing：波長多重）信号の伝送に係る信頼性を向上させるための方式として、ＷＤＭ信号を伝送する経路を切り替えて障害を回避するライン冗長方式が知られている。【０００３】
ライン冗長方式では、通常、ＷＤＭ信号を受信する受信端となる波長多重伝送装置が経路の障害を検知している。具体的には、ＷＤＭ信号を受信する受信端の波長多重伝送装置が、複数の経路のそれぞれから入力されたＷＤＭ信号内の光波長信号のそれぞれの入力光レベルを光監視装置を用いて監視し、その監視結果に基づいて、光波長信号の遮断が発生したか否かを検知する。現在使用している運用系の経路から入力されたＷＤＭ信号内の光波長信号の遮断が発生した場合、波長多重伝送装置は、運用系の経路で障害が発生したと判断して、ＷＤＭ信号を伝送させる経路を、運用系の経路から予備系の経路に切り替える。【０００４】
しかしながら、上記のライン冗長方式では、入力光レベルに基づいて障害を検知しているだけなので、光信号のフレームエラーやビットエラーを監視することができず、障害を正確に検知することができないという問題がある。【０００５】
これに対して光信号のフレームエラーやビットエラーを検知することが可能な通信装置が特許文献１に記載されている。この通信装置は、複数の経路のそれぞれに対応して複数設けられた光カプラと、複数の経路のそれぞれに対応して複数設けられた監視装置とを備え、各光カプラは、自身の経路からの光信号を分岐して、一方を所定の方路に出力し、他方を自身の経路に対応する監視装置に入力する。そして、各監視装置が入力された光信号を解析してフレームエラーやビットエラーを検知する。
【先行技術文献】
【特許文献】
【０００６】
【特許文献１】特開２０００−１５１６０７号公報
【発明の概要】
【発明が解決しようとする課題】
【０００７】
しかしながら、特許文献１に記載の通信装置では、光信号を解析する監視装置を経路ごとに設けなければならないため、通信装置の規模やコストが増加してしまうという問題がある。【０００８】
なお、一般的なライン冗長方式では、ＷＤＭ信号に対して再生中継処理を行う中継用の光波長変換装置が経路上に設けられることがある。中継用の光波長変換装置において再生中継処理を行う光波長変換部は、その光波長変換部の入力側の経路で障害が発生した場合、その障害を受信端の光波長多重伝送装置で正常に検知できるように、障害が発生した経路を伝送するＷＤＭ信号を遮断して、受信端の光波長多重伝送装置の光監視部が検知する入力光レベルを下げる必要がある。しかしながら、ＷＤＭ信号が遮断されると、ＷＤＭ信号に含まれる複数の光波長信号が同時に遮断されるため、受信端の光波長多重伝送装置に入力されるＷＤＭ信号の入力光レベルが急激に変化し、他の経路を伝送するＷＤＭ信号に影響を及ぼす懸念があった。【０００９】
また、一般的な波長多重伝送装置は、ＷＤＭ信号から波長を変換する必要のある光波長信号を抽出して、その抽出した光波長信号の波長を変換する光波長変換部に出力していたが、近年では、ＷＤＭ信号をそのまま光波長変換部に出力する波長多重伝送装置が提案されている。この場合、光レベルを監視する光監視装置には、ＷＤＭ信号がそのまま入力されることとなり、特定の光波長信号で遮断が発生しても、他の光波長信号の影響でその遮断を検知することができない懸念がある。【００１０】
特許文献１に記載の通信装置では、これらの懸念についても考慮されていない。【００１１】
本発明の目的は、少なくとも通信装置の規模やコストが増加してしまうという問題を解決することが可能な伝送装置、伝送システムおよび経路切替方法を提供することである。
【課題を解決するための手段】
【００１２】
本発明による伝送装置は、波長が異なる複数の光波長信号が合波された波長多重信号を伝送する複数の経路のそれぞれに対応して複数設けられ、当該対応する経路を伝送してきた波長多重信号または当該波長多重信号に含まれる光波長信号の光レベルを検知する光監視部と、前記複数の経路のいずれかを選択し、当該選択した経路を伝送してきた波長多重信号または当該波長多重信号に含まれる光波長信号を光信号として出力する切替部と、前記光監視部にて検知された光レベルと、前記切替部から出力された光信号に基づいて、各経路で発生した障害を検知し、当該検知結果に応じて、前記切替部にて選択される経路を切り換える信号処理部と、を有する。【００１３】
本発明による伝送システムは、波長が異なる複数の光波長信号が合波された波長多重信号を伝送する複数の経路のそれぞれに対応して複数設けられ、当該対応する経路を伝送してきた波長多重信号または当該波長多重信号に含まれる光波長信号の光レベルを検知する光監視部と、前記複数の経路のいずれかを選択し、当該選択した経路を伝送してきた波長多重信号または当該波長多重信号に含まれる光波長信号を光信号として出力する切替部と、前記光監視部による前記光レベルの監視結果と、前記切替部から出力された光信号に基づいて、各経路で発生した障害を検知し、当該検知結果に応じて、前記切替部にて選択される経路を切り換える信号処理部と、を有する伝送装置と、前記複数の経路のそれぞれに所属する複数の中継用伝送装置と、を有する。【００１４】
本発明による経路切替方法は、複数の経路のそれぞれを伝送する、波長が異なる複数の光波長信号が合波された波長多重信号または当該波長多重信号に含まれる光波長信号の光レベルを検知し、前記複数の経路のいずれかを選択し、当該選択した経路を伝送してきた波長多重信号または当該波長多重信号に含まれる光波長信号を光信号として出力し、前記検知された光レベルと、前記出力された光信号に基づいて、各経路で発生した障害を検知し、当該検知結果に応じて、前記選択される経路を切り換える。
【発明の効果】
【００１５】
本発明によれば、通信装置の規模やコストが増加を抑制することが可能になる。
【図面の簡単な説明】
【００１６】
【図１】本発明の一実施形態の波長多重伝送システムを示す図である。
【図２】本発明の一実施形態の波長多重伝送システムの動作の一例を説明するための図である。
【図３】本発明の一実施形態の波長多重伝送システムの動作の他の例を説明するための図である。
【図４】本発明の一実施形態の波長多重伝送システムの動作の他の例を説明するための図である。
【図５】本発明の一実施形態の波長多重伝送システムの動作の他の例を説明するための図である。
【発明を実施するための形態】
【００１７】
以下、本発明の実施形態について図面を参照して説明する。なお、以下の説明では、同じ機能を有するものには同じ符号を付け、その説明を省略する場合がある。
【００１８】
図１は、本発明の一実施形態の波長多重伝送システムを示す図である。図１に示す波長多重伝送システムは、ＷＤＭ信号の伝送を行う伝送システムであり、波長多重伝送装置１〜４を有する。図１では、ＷＤＭ信号は、波長多重伝送装置１から波長多重伝送装置３に伝送されるものとしている。また、波長多重伝送装置１から波長多重伝送装置３までの経路には、波長多重伝送装置２が介在する経路Ａと、波長多重伝送装置４が介在する経路Ｂとがある。
【００１９】
波長多重伝送装置１は、ＷＤＭ信号を送信する送信端となる伝送装置である。波長多重伝送装置１は、複数の光波長変換部１１と、光波長多重部１２Ａおよび１２Ｂと、波長監視部１３Ａおよび１３Ｂと、監視制御部１４と、光監視制御部１５Ａおよび１５Ｂとを有する。
【００２０】
なお、複数の光波長変換部１１および監視制御部１４は、経路ＡおよびＢに共通の構成であり、光波長多重部１２Ａ、波長監視部１３Ａおよび光監視制御部１５Ａは、経路Ａに対応にする構成であり、光波長多重部１２Ｂ、波長監視部１３Ｂおよび光監視制御部１５Ｂは、経路Ｂに対応する構成である。
【００２１】
各光波長変換部１１には、ルータのようなクライアント装置（図示せず）から、特定の波長を有する光信号であるクライアント信号が入力される。各光波長変換部１１は、入力されたクライアント信号の波長をＷＤＭ信号用の波長に変換し、その波長を変換したクライアント信号を光波長信号として出力する。なお、各光波長変換部１１が出力する光波長信号の波長はそれぞれ異なっている。
【００２２】
各光波長変換部１１は、具体的には、信号処理部１１１と、カプラ部１１２とを有する。
【００２３】
信号処理部１１１にはクライアント信号が入力される。信号処理部１１１は、入力されたクライアント信号の波長を、ＷＤＭ信号用の波長に変換し、その波長を変換したクライアント信号を光波長信号として出力する。
【００２４】
カプラ部１１２は、信号処理部１１１から出力された光波長信号を２つに分岐し、一方の光波長信号を経路Ａの光波長多重部１２Ａに出力し、他方の光波長信号を経路Ｂの光波長多重部１２Ｂに出力する。
【００２５】
光波長多重部１２Ａは、各光波長変換部１１から出力された光波長信号を合波することで、それらの光波長信号を多重化したＷＤＭ信号を生成し、その生成したＷＤＭ信号を出力する。
【００２６】
波長監視部１３Ａは、光波長多重部１２Ａが生成したＷＤＭ信号に含まれる光波長信号のそれぞれの波長を検知し、その波長を監視制御部１４を介して光監視制御部１５Ａに通知する。具体的には、波長監視部１３Ａは、ＷＤＭ信号に含めることが可能な全ての光波長信号のそれぞれの波長について、その波長が、光波長多重部１２Ａが生成したＷＤＭ信号に含まれる光波長信号の波長として実際に存在するか否かを検知する。
【００２７】
監視制御部１４は、各光波長変換部１１で生じる障害を検知し、その障害を光監視制御部１５Ａおよび１５Ｂに通知する。
【００２８】
光監視制御部１５Ａは、波長監視部１３Ａおよび監視制御部１４のそれぞれから通知された波長および障害を示す光監視信号を生成し、その光監視信号を光波長多重部１２Ａから出力されたＷＤＭ信号に合波して出力する。
【００２９】
光波長多重部１２Ｂ、波長監視部１３Ｂおよび光監視制御部１５Ｂは、光波長多重部１２Ａ、波長監視部１３Ａおよび光監視制御部１５Ａと同様な機能を有し、光波長変換部１１から経路Ｂに出力されたＷＤＭ信号に対して光波長多重部１２Ａ、波長監視部１３Ａおよび光監視制御部１５Ａと同様な処理を行う。
【００３０】
波長多重伝送装置２は、ＷＤＭ信号を中継する中継用伝送装置である。波長多重伝送装置２は、波長監視部２１と、光波長分離部２２と、複数の光波長変換部２３と、光波長多重部２４と、波長監視部２５と、監視制御部２６と、光監視制御部２７とを有する。
【００３１】
波長監視部２１は、波長多重伝送装置１から出力されたＷＤＭ信号に含まれる光波長信号のそれぞれの波長を検知し、その波長を監視制御部２６を介して光監視制御部２７に通知する。具体的には、波長監視部２１は、光波長多重信号に含めることが可能な全ての光波長信号のそれぞれの波長について、その波長が、波長多重伝送装置１から出力されたＷＤＭ信号に含まれる光波長信号の波長として実際に存在するか否かを検知する。
【００３２】
光波長分離部２２は、波長多重伝送装置１から出力されたＷＤＭ信号を、ＷＤＭ信号に含まれる光波長信号および光監視信号のそれぞれに分波して出力する。このとき、光波長分離部２２は、光監視信号を監視制御部２６に出力し、光波長信号のそれぞれを各光波長変換部２３に出力する。
【００３３】
各光波長変換部２３は、再生中継部と呼ばれることもある。各光波長変換部２３は、光波長信号の波長のそれぞれに対応し、その対応する波長を有する光波長信号に対して再生中継処理を行い、再生中継処理を行った光波長信号を出力する。再生中継処理は、例えば、３Ｒ中継処理である。なお、３Ｒ中継処理は、等化(Reshaping)処理、リタイミング(Retiming)処理および識別再生（Regenerating)処理を含む。
【００３４】
また、各光波長変換部２３は、対応する波長を有する光波長信号に基づいて、経路Ａで生じた障害を検知する検知処理を行う。
【００３５】
検知処理にて障害を検知した場合、各光波長変換部２３は、その障害を示す警報信号を光波長信号として出力する出力処理、または、その障害を監視制御部２６を介して光監視制御部２７に通知する通知処理を行う。より具体的には、各光波長変換部２３には、波長多重伝送装置２が所属している経路ＡがＷＤＭ信号の伝送に現在使用されている運用系の経路か、運用系の経路で障害が発生したときに切り替える予備系の経路かを示す経路フラグが設定されている。各光波長変換部２３は、経路フラグが運用系の経路を示す場合、出力処理を行い、経路フラグが予備系の経路を示す場合、通知処理を行う。なお、出力処理で出力される警報信号は、ＡＩＳ（alarm indication signal）信号またはそれに相当する信号であり、光波長変換部２３に対応する波長を有する信号であることが望ましい。
【００３６】
光波長多重部２４は、各光波長変換部２３から出力された光波長信号を合波することで、それらの光波長信号を多重化したＷＤＭ信号を生成し、その生成したＷＤＭ信号を出力する。
【００３７】
波長監視部２５は、光波長多重部２４が生成したＷＤＭ信号に含まれる光波長信号のそれぞれの波長を検知し、その波長を監視制御部２６を介して光監視制御部２７に通知する。具体的には、波長監視部２５は、ＷＤＭ信号に含めることが可能な全ての光波長信号のそれぞれの波長について、その波長が、光波長多重部１２Ａが生成したＷＤＭ信号に含まれる光波長信号の波長として存在するか否かを検知する。
【００３８】
監視制御部２６は、光波長分離部２２からの光監視信号に基づいて、波長多重伝送装置１で生じた障害を検知し、その障害を光監視制御部２７に通知する。また、監視制御部２６は、波長多重伝送装置３から経路Ａが運用系か否かを示す設定情報を受信し、その情報に基づいて各光波長変換部２３に設定されている経路フラグを変更する。
【００３９】
光監視制御部２７は、各光波長変換部２３、波長監視部２５および監視制御部２６のそれぞれから通知された障害および波長を示す光監視信号を生成し、その光監視信号を光波長多重部１２Ａから出力されたＷＤＭ信号に合波して出力する。
【００４０】
波長多重伝送装置４は、ＷＤＭ信号を中継する中継用伝送装置である。波長多重伝送装置４は、波長監視部４１と、光波長分離部４２と、複数の光波長変換部４３と、光波長多重部４４と、波長監視部４５と、監視制御部４６、光監視制御部４７とを有する。なお、波長多重伝送装置４の各部は、波長多重伝送装置２の同名の構成が有する機能と同様な機能を有し、経路Ｂを伝送するＷＤＭ信号に対してその同名の構成と同様な処理を行う。
【００４１】
波長多重伝送装置３は、ＷＤＭ信号の受信端となる伝送装置である。波長多重伝送装置３は、光監視制御部３１Ａおよび３１Ｂと、光波長分離部３２Ａおよび３２Ｂと、複数の光波長変換部３３と、監視制御部３４とを有する。
【００４２】
光監視制御部３１Ａおよび光波長分離部３２Ａは経路Ａに対応する構成であり、光監視制御部３１Ｂおよび光波長分離部３２Ｂは経路Ｂに対応する構成であり、各光波長変換部３３および監視制御部３４は経路ＡおよびＢに共通の構成である。
【００４３】
光監視制御部３１Ａは、波長多重伝送装置２から出力されたＷＤＭ信号から光監視信号を取得する取得部である。光監視制御部３１Ａは、取得した光監視信号が示す障害および波長を監視制御部３４を介して光波長変換部３３に通知する。
【００４４】
光波長分離部３２Ａは、波長多重伝送装置２から出力されたＷＤＭ信号を、ＷＤＭ信号に含まれる光波長信号および光監視信号のそれぞれに分波し、その分波した光波長信号のそれぞれを各光波長変換部３３に出力する。
【００４５】
光監視制御部３１Ｂおよび光波長分離部３２Ｂは、光監視制御部３１Ａおよび光波長分離部３２Ｂと同様な機能を有し、波長多重伝送装置２から出力された経路Ｂを伝送するＷＤＭ信号に対して光監視制御部３１Ｂおよび光波長分離部３２Ｂと同様な処理を行う。
【００４６】
各光波長変換部３３は、光波長信号の波長のそれぞれに対応し、その対応する波長を有する光波長信号を光波長分離部３２Ａおよび３２Ｂの両方から受け付ける。各光波長変換部３３は、経路ＡおよびＢのいずれかを選択し、その選択した経路を伝送してきたＷＤＭ信号から分波された光波長信号、つまり、その選択した経路に対応する光波長分離部３２Ａまたは３２Ｂから受け付けた光波長信号をクライアント信号としてクライアント装置（図示せず）に出力する。
【００４７】
各光波長変換部３３は、具体的には、光監視部３３１Ａおよび３３１Ｂと、切替部３３２と、信号処理部３３３とを有する。なお、光監視部３３１Ａは経路Ａに対応する構成であり、光監視部３３１Ｂは経路Ｂに対応する構成である。
【００４８】
光監視部３３１Ａは、光波長分離部３２Ａから受け付けた光波長信号の光レベルを検知し、その光レベルを監視制御部３４を介して各信号処理部３３３に出力する。
【００４９】
光監視部３３１Ｂは、光波長分離部３２Ｂから受け付けた光波長信号の光レベルを検知し、その光レベルを監視制御部３４を介して各信号処理部３３３に出力する。
【００５０】
切替部３３２は、経路ＡおよびＢのいずれかを選択し、その選択した経路を伝送してきた波長多重信号から分波された光波長信号を出力する。
【００５１】
信号処理部３３３は、切替部３３２から出力された光波長信号の波長をクライアント装置用の波長に変換し、その変換した光波長信号をクライアント装置に出力する。なお、切替部３３２にて選択された経路を伝送してきた波長多重信号内の光波長信号がクライアント装置に出力されることとなるので、切替部３３２にて選択された経路が運用系の経路となる。
【００５２】
また、信号処理部３３３は、光監視制御部３１Ａおよび３１Ｂから通知された障害および波長と、光監視部３３１Ａおよび３３１Ｂから通知された光レベルと、切替部３３２から出力された光波長信号に基づいて、経路ＡおよびＢのそれぞれで発生した障害を検知し、その検知結果に基づいて切替部３３２にて選択される経路を切り替える。このとき、信号処理部３３３は、切替部３３２にて選択される経路を運用系の経路と設定し、切替部３３２にて選択されていない経路を予備系の経路と設定し、その設定を示す設定情報を監視制御部３４に通知する。
【００５３】
具体的には、信号処理部３３３は、切替部３３２から出力された光波長信号に基づいて、運用系の経路で発生した障害を検知する。このとき、信号処理部３３３は、光波長信号が警報信号か否かを判断し、光波長信号が警報信号の場合、運用系の経路で障害が発生したと判断する。また、光波長信号が警報信号でない場合、その光波長信号を解析して、光波長信号にエラー（例えば、フレームエラーおよびビットエラーの少なくとも一方）があるか否かを検知し、エラーがあると、運用系の経路で障害が発生したと判断する。なお、信号処理部３３３は、光波長信号だけでなく、運用系の経路に対応する光監視制御部および光監視部から通知された情報も、障害の検知に用いてもよい。
【００５４】
一方、予備系の経路については、各信号処理部３３３に予備系の経路に接続されていないので、運用系の経路Ａによる障害の検知とは異なる。
【００５５】
具体的には、信号処理部３３３は、予備系の経路に対応する光監視部から通知された光レベルと、予備系の経路に対応する光監視制御部３１Ａから通知された障害と波長とに基づいて、予備系の経路の障害を検知する。例えば、光レベルが所定の閾値以下になった場合、光監視制御部３１Ａから障害が通知された場合、光監視制御部３１Ａから通知された波長が存在しなくなった場合に、予備系の経路の障害を検知する。
【００５６】
監視制御部３４は、各信号処理部３３３からの設定情報を波長多重伝送装置２および４の監視制御部２６および４６に通知する。
【００５７】
以上説明した本実施形態では、カプラ部１１２および切替部３３２は、光波長変換部１１および３３の内部に備わっているものとして説明したが、それらの外部に備わっていてもよい。また、ＷＤＭ信号および光監視信号を合波するカプラ部は、本実施形態では、光監視制御部１５Ａ、１５Ｂ、２７および４７に備わっているものとして説明したが、それらの外部に備わっていてもよい。
【００５８】
また、光波長変換部２３および４３は、光波長信号ごとに１つだけ設けられていたが、なくてもよいし、多段に設けられていてもよい。また、波長多重伝送装置２および４のそれぞれが多段に設けられていてもよい。
【００５９】
また、光波長分離部２２、４２、３２Ａおよび３２Ｂは、ＷＤＭ信号を光波長信号に分離して出力していたが、ＷＤＭ信号をそのまま出力してもよい。この場合、切替部３３２は、選択した経路を伝送してきた波長多重信号をそのまま出力することになる。したがって、切替部３３２は、複数の経路のいずれかを選択し、その選択した経路を伝送してきた波長多重信号またはその波長多重信号に含まれる光波長信号を光信号として出力することになる。
【００６０】
また、図１に示す波長多重伝送システムでは、説明を簡略化するために、ＷＤＭ信号が波長多重伝送装置１から波長多重伝送装置３までの一方向に伝送されていたが、波長多重伝送システムは、ＷＤＭ信号が波長多重伝送装置３から波長多重伝送装置１にも伝送させる双方向に対応した構成であることが望ましい。
【００６１】
次に波長多重伝送システムの動作を説明する。
【００６２】
図２〜図５は、波長多重伝送システムの動作を説明するための図である。以下の説明では、経路Ａが運用系の経路として使用され、経路Ｂが予備系の経路として使用されているものとする。
【００６３】
上記の状況において、図２に示すように波長多重伝送装置１および２の間において経路Ａが切断された場合、波長多重伝送装置２の各光波長変換部２３は、警報信号を生成して光波長信号として光波長多重部２４に出力する。この場合、波長多重伝送装置３の各信号処理部３３３は、光波長信号が警報信号であるので、経路Ａで障害が発生したことを検知する。図２の例では、経路Ｂで障害が発生していないので、各信号処理部３３３は、各切替部３３２にて選択する経路を経路Ａから経路Ｂに切り替える。これにより、経路Ａで生じた障害を回避することができる。
【００６４】
次に図３〜図５を用いて予備系の経路Ｂでも障害が発生している場合の動作について説明する。
【００６５】
図３の例では、波長多重伝送装置４および３の間において経路Ｂが切断され、その後、図２の例と同様に波長多重伝送装置１および２の間において経路Ａが切断されたとしている。
【００６６】
この場合、先ず、経路Ｂが切断されると、経路Ｂを伝送しているＷＤＭ信号が遮断されるので、波長多重伝送装置３における各光監視部３３１ＢがＷＤＭ信号内の光波長信号の各波長が検知されなくなり、そのことが監視制御部３４を介して各信号処理部３３３に通知される。各信号処理部３３３は、その通知された検知結果に基づいて、経路Ｂで障害が発生していることを認識する。その後、上記のように経路Ａが切断されると、図２の例と同様にして各信号処理部３３３は経路Ａで障害が発生したことを検知する。この場合、経路Ｂで障害が発生しているので、各信号処理部３３３は、切替部３３２にて選択する経路の切り替えを行わない。
【００６７】
なお、予備系の経路で障害が発生しているときに、運用系の経路で障害が発生しても、経路の切り替えを行わないことは、ライン冗長方式における一般的な切替方法である。
【００６８】
また、図４の例では、波長多重伝送装置４の光波長変換部４３の出力部において障害が発生し、その後、図２の例と同様に波長多重伝送装置１および２の間において経路Ａが切断されたとしている。
【００６９】
この場合、先ず、波長多重伝送装置４の光波長変換部４３の出力部において障害が発生すると、波長多重伝送装置４における波長監視部４５において、出力部で障害が発生した光波長変換部４３に対応する波長が検知されなくなり、そのことが光監視制御部４７から出力される光監視信号に反映される。これにより、光波長変換部４３の出力部における障害は、波長多重伝送装置３では、光監視制御部３１Ｂおよび監視制御部３４を経由して光波長変換部３３の信号処理部３３３に通知され、経路Ｂで障害が発生していることが認識される。
【００７０】
また、出力部で障害が発生した光波長変換部４３に対応する波長に応じた光波長変換部３３の光監視部３３１Ｂでも、その波長を有する光波長信号の光レベルが低下したことが検知されるので、信号処理部３３３は、光監視部３３１Ｂから通知された光レベルを用いることでも障害を検知している。
【００７１】
その後、上記のように経路Ａが切断されると、図２の例と同様にして各信号処理部３３３は経路Ａで障害が発生したことを検知する。この場合、経路Ｂで障害が発生しているので、各信号処理部３３３は、切替部３３２にて選択する経路の切り替えを行わない。
【００７２】
なお、光波長分離部３２Ａおよび３２ＢがＷＤＭ信号をそのまま出力する場合、光監視部３３１Ａおよび３３１Ｂにて光レベルの低下を検知することが困難になることがある。このため、光監視部３３１Ａおよび３３１Ｂのみでは障害を正確に検知することができないため、本実施形態では光監視部３３１Ａおよび３３１Ｂだけでなく、光監視制御部３１Ａおよび３１Ｂも障害の検知に用いている。
【００７３】
また、図５の例では、波長多重伝送装置１および４の間において経路Ｂが切断され、その後、図２の例と同様に波長多重伝送装置１および２の間において経路Ａが切断されたとしている。
【００７４】
この場合、先ず、波長多重伝送装置１および４の間において経路Ｂが切断されると、波長多重伝送装置４における光波長変換部４３にて障害が検知され、その障害を示す光監視信号が光監視制御部４７から下流の波長多重伝送装置３における光監視制御部３１Ｂに伝達され、その障害が監視制御部３４を介して各信号処理部３３３に通知され、経路Ｂで障害が発生していることが認識される。
【００７５】
その後、上記のように経路Ａが切断されると、図２の例と同様にして各信号処理部３３３は経路Ａで障害が発生したことを検知する。この場合、経路Ｂで障害が発生しているので、各信号処理部３３３は、切替部３３２にて選択する経路の切り替えを行わない。
【００７６】
以上説明したように本実施形態によれば、選択された経路を伝送してきた波長多重信号または当該波長多重信号に含まれる光波長信号と、各経路を伝送してきた波長多重信号または当該波長多重信号に含まれる光波長信号に基づいて、障害が検知されるので、波長多重信号または光波長信号を解析する信号処理部を経路ごとに設けなくてもよくなるため、通信装置の規模やコストの増加を抑制することが可能になる。なお、運用系の伝送路を伝送してきた波長多重信号のフレームエラーやビットエラーなども検知することができる。
【００７７】
また、本実施形態では、障害を示す光監視信号がＷＤＭ信号に合波されて上流から下流に通知されるので、ＷＤＭ信号がそのまま光波長変換部に出力される構成でも、光監視信号に基づいて障害を検知することが可能になる。
【００７８】
また、本実施形態では、中継用の波長変換装置２および４が運用系の経路上で発生した障害を検知した場合、その障害を示す警報信号が波長光信号として出力されるので、障害発生時に、波長光信号を遮断させなくてもよくなるため、ＷＤＭ信号の光レベルが急激に変化して、他の経路を伝送するＷＤＭ信号に影響を及ぼすことを抑制することが可能になる。
【００７９】
以上、実施形態を参照して本願発明を説明したが、本願発明は、上記実施形態に限定されたものではない。本願発明の構成や詳細には、本願発明のスコープ内で当業者が理解し得る様々な変更を行うことができる。
【００８０】
例えば、ＷＤＭ信号を伝送する経路は、２つだけであったが、実際には複数あればよい。３つ以上の経路が存在する場合、１つの経路が運用系の経路となり、その他の経路が予備系の経路となる。
【００８１】
この出願は、２０１３年７月１６日に出願された日本出願特願２０１３−１４７５３６号公報を基礎とする優先権を主張し、その開示の全てをここに取り込む。
【符号の説明】
【００８２】
１〜４    波長多重伝送装置
１１、２３、３３、４３      光波長変換部
１２Ａ、１２Ｂ、２４、４４    光波長多重部
１３Ａ、１３Ｂ、２１、４１    波長監視部
１４、２６、３４、４６      監視制御部
１５Ａ、１５Ｂ、２５、４５、４７、３１Ａ、３１Ｂ    光監視制御部
２２、４２、３２Ａ、３２Ｂ    光波長分離部
１１１、３３３    信号処理部
１１２    カプラ部
３３１Ａ、３３１Ｂ  光監視部
３３２    切替部
【図１】
2015008512.tif 000003
【図２】
2015008512.tif 000004
【図３】
2015008512.tif 000005
【図４】
2015008512.tif 000006
【図５】
2015008512.tif 000007
【手続補正書】
【提出日】平成28年12月1日(2016.12.1)
【手続補正１】
【補正対象書類名】特許請求の範囲
【補正対象項目名】請求項１
【補正方法】変更
【補正の内容】
【請求項１】
波長が異なる複数の光波長信号が合波された波長多重信号を伝送する複数の経路のそれぞれに対応して複数設けられ、当該対応する経路を伝送してきた波長多重信号または当該波長多重信号に含まれる光波長信号の光レベルを検知する光監視部と、
前記複数の経路のいずれかを選択し、当該選択した経路を伝送してきた波長多重信号または当該波長多重信号に含まれる光波長信号を光信号として出力する切替部と、
前記光監視部にて検知された光レベルと、前記切替部から出力された光信号における、ビットエラーおよびフレームエラーの少なくとも一方を含むエラーと、に基づいて、各経路で発生した障害を検知し、当該検知結果に応じて、前記切替部にて選択される経路を切り換える信号処理部と、を有する伝送装置。
【手続補正２】
【補正対象書類名】特許請求の範囲
【補正対象項目名】請求項６
【補正方法】変更
【補正の内容】
【請求項６】
波長が異なる複数の光波長信号が合波された波長多重信号を伝送する複数の経路のそれぞれに対応して複数設けられ、当該対応する経路を伝送してきた波長多重信号または当該波長多重信号に含まれる光波長信号の光レベルを検知する光監視部と、
前記複数の経路のいずれかを選択し、当該選択した経路を伝送してきた波長多重信号または当該波長多重信号に含まれる光波長信号を光信号として出力する切替部と、
前記光監視部による前記光レベルの監視結果と、前記切替部から出力された光信号における、ビットエラーおよびフレームエラーの少なくとも一方を含むエラーと、に基づいて、各経路で発生した障害を検知し、当該検知結果に応じて、前記切替部にて選択される経路を切り換える信号処理部と、を有する伝送装置と、
前記複数の経路のそれぞれに所属する複数の中継用伝送装置と、を有する伝送システム
。
【手続補正３】
【補正対象書類名】特許請求の範囲
【補正対象項目名】請求項９
【補正方法】変更
【補正の内容】
【請求項９】
複数の経路のそれぞれを伝送する、波長が異なる複数の光波長信号が合波された波長多重信号または当該波長多重信号に含まれる光波長信号の光レベルを検知し、
前記複数の経路のいずれかを選択し、当該選択した経路を伝送してきた波長多重信号または当該波長多重信号に含まれる光波長信号を光信号として出力し、
前記検知された光レベルと、前記出力された光信号における、ビットエラーおよびフレームエラーの少なくとも一方を含むエラーと、に基づいて、各経路で発生した障害を検知し、当該検知結果に応じて、前記選択される経路を切り換える、経路切替方法。
【国際調査報告】
2015008512.tif 000008
2015008512.tif 000009
2015008512.tif 000010
2015008512.tif 000011